(57)【要約】【課題】生産性が良好なころ軸受を提供する。【解決手段】円錐ころ軸受３１は、外輪３２と、内輪３３と、外輪３２および内輪３３の間に配置される複数の円錐ころ３４と、円錐ころ３４を保持するポケットを形成するように軸に沿う方向に延びる複数の柱部、およびこの複数の柱部を連結するように周方向に延びる連結部を有し、外輪および内輪の間で周方向に順次連ねて配置される複数の樹脂製の保持器セグメント１１ａ、１１ｄと、周方向に連ねた最初の保持器セグメント１１ａと最後の保持器セグメント１１ｄとの間に配置される金属製の間座２６とを備える。【選択図】図１
2007255627.tif 000002
【特許請求の範囲】
【請求項１】
外輪と、
内輪と、
前記外輪および前記内輪の間に配置される複数のころと、
前記ころを保持するポケットを形成するように軸に沿う方向に延びる複数の柱部、およびこの複数の柱部を連結するように周方向に延びる連結部を有し、前記外輪および前記内輪の間で周方向に順次連ねて配置される複数の樹脂製の保持器セグメントと、
周方向に連ねた最初の保持器セグメントと最後の保持器セグメントとの間に配置される金属製の間座とを備える、ころ軸受。
【請求項２】
前記間座は、砲金製である、請求項１に記載のころ軸受。
【請求項３】
周方向に連ねた最初の保持器セグメントと最後の保持器セグメントとの間に配置され、金属製である、間座。
【請求項４】
風力を受けるブレードと、
その一端が前記ブレードに固定され、ブレードとともに回転する主軸と、
固定部材に組み込まれ、前記主軸を回転自在に支持するころ軸受とを有する風力発電機の主軸支持構造であって、
前記ころ軸受は、外輪と、内輪と、前記外輪および前記内輪の間に配置される複数のころと、前記ころを保持するポケットを形成するように軸に沿う方向に延びる複数の柱部、およびこの複数の柱部を連結するように周方向に延びる連結部を有し、前記外輪および前記内輪の間で周方向に順次連ねて配置される複数の樹脂製の保持器セグメントと、周方向に連ねた最初の保持器セグメントと最後の保持器セグメントとの間に配置される金属製の間座とを備える、風力発電機の主軸支持構造。
【発明の詳細な説明】
【技術分野】
【０００１】
この発明は、ころ軸受、間座および風力発電機の主軸支持構造に関し、特に、大型のころ軸受、大型のころ軸受に含まれる間座および大型のころ軸受を備える風力発電機の主軸支持構造に関するものである。
【背景技術】
【０００２】
ころ軸受は、一般的には、外輪と、内輪と、外輪および内輪の間に配置される複数のころと、複数のころを保持する保持器とから構成される。ころを保持する保持器については、その材質や製造方法等により、樹脂製保持器、プレス保持器、削り保持器、溶接保持器等、様々な種類があり、それぞれ用途や特性に応じて使い分けられている。また、保持器は通常、一体型、すなわち、環状の一つの部品で構成されている。
【０００３】
風を受けるためのブレードが取り付けられた風力発電機の主軸を支持するころ軸受については、大きな荷重を受ける必要があるため、ころ軸受自体も大型となる。そうすると、ころや保持器等、ころ軸受を構成する各構成部材も大型となり、部材の生産や組み立てが困難となる。このような場合、各部材を分割可能とすると、生産や組み立てが容易となる。
【０００４】
ここで、ころ軸受に含まれる保持器を、軸に沿う方向に延びる分割線によって分割した分割型の保持器に関する技術が、ヨーロッパ特許公報１４０８２４８Ａ２（特許文献１）に開示されている。図１０は、特許文献１に開示された分割型の保持器である保持器セグメントを示す斜視図である。図１０を参照して、保持器セグメント１０１ａは、ころを収容する複数のポケット１０４を形成するように軸に沿う方向に延びる複数の柱部１０３ａ、１０３ｂ、１０３ｃ、１０３ｄ、１０３ｅと、複数の柱部１０３ａ〜１０３ｅを連結するように周方向に延びる連結部１０２ａ、１０２ｂとを有する。
【０００５】
図１１は、図１０に示した保持器セグメント１０１ａを含むころ軸受の一部を示す断面図である。図１０および図１１を参照して、保持器セグメント１０１ａを含むころ軸受１１１の構成を説明すると、ころ軸受１１１は、外輪１１２と、内輪１１３と、複数のころ１１４と、複数のころ１１４を保持する複数の保持器セグメント１０１ａ、１０１ｂ、１０１ｃ等とを有する。複数のころ１１４は、最もころの挙動が安定する位置であるＰＣＤ（Ｐｉｔｃｈ  Ｃｉｒｃｌｅ  Ｄｉａｍｅｔｅｒ）１０５付近において、複数の保持器セグメント１０１ａ等によって保持されている。複数のころ１１４を保持する保持器セグメント１０１ａは、周方向において隣接する同一形状の保持器セグメント１０１ｂ、１０１ｃと、周方向の最も外側にある柱部１０３ａ、１０３ｅが当接するように連なって配置されている。複数の保持器セグメント１０１ａ、１０１ｂ、１０１ｃ等が連なって、ころ軸受１１１に組み込まれ、ころ軸受１１１に含まれる一つの環状の保持器が形成される。
【特許文献１】ヨーロッパ特許公報ＥＰ１４０８２４８Ａ２
【発明の開示】
【発明が解決しようとする課題】
【０００６】
上記した一つの環状の保持器は、複数の保持器セグメントを周方向に連ねて配置させることにより形成される。複数の保持器セグメントを周方向に連ねて、一つの環状の保持器を形成するには、熱膨張等を考慮した周方向のすき間が必要である。
【０００７】
ここで、この周方向のすき間が広すぎれば、保持器セグメントが周方向に大きく動き、隣接する保持器セグメント同士が衝突し、異音が発生したり、保持器セグメントが破損するおそれがある。また、保持器セグメントは、温度上昇に伴って熱膨張するが、この周方向のすき間が狭い場合には、熱膨張により、隣接する保持器セグメントとのすき間がなくなり、隣接する保持器セグメント同士が押し合うことになる。この熱膨張による周方向への応力は、保持器セグメントの摩擦や摩耗の原因となり、これも保持器セグメントの破損の要因となる。
【０００８】
ここで、特許文献１によると、各保持器セグメントを当接させ、周方向に連ねて配置したときに、最初の保持器セグメントと最後の保持器セグメントとの間に生じる最後のすき間の寸法を、保持器セグメントの中央を通る円の円周の０．１５％以上、かつ、１％未満と規定することにより、周方向のすき間の寸法を適正にする技術が開示されている。
【０００９】
しかし、各保持器セグメントはそれぞれ単独で製造されるため、各保持器セグメントにおいて、周方向の寸法誤差を有する。このような寸法誤差を有する保持器セグメントを、周方向に連ねて配置した場合、寸法誤差も累積されていくことになる。したがって、周方向のすき間の寸法を上記した所定の範囲内にするには、各保持器セグメントを高精度で製造しなければならず、保持器セグメントの生産性が悪化し、引いては、ころ軸受の生産性も悪化することになる。
【００１０】
この発明の目的は、生産性が良好なころ軸受を提供することである。
【００１１】
この発明の他の目的は、生産性が良好な間座を提供することである。
【００１２】
この発明のさらに他の目的は、生産性が良好な風力発電機の主軸支持構造を提供することである。
【課題を解決するための手段】
【００１３】
この発明に係るころ軸受は、外輪と、内輪と、外輪および内輪の間に配置される複数のころと、ころを保持するポケットを形成するように軸に沿う方向に延びる複数の柱部、およびこの複数の柱部を連結するように周方向に延びる連結部を有し、外輪および内輪の間で周方向に順次連ねて配置される複数の樹脂製の保持器セグメントと、周方向に連ねた最初の保持器セグメントと最後の保持器セグメントとの間に配置される金属製の間座とを備える。
【００１４】
保持器セグメントは、比較的複雑な形状を有し、１つのころ軸受に対し、大量の数が必要とされる。したがって、保持器セグメントを樹脂製とし、射出成形等で製造することにより、保持器セグメントの生産性を向上させることができる。一方、すき間寸法を調整するための間座は、比較的単純な形状であり、１つのころ軸受に対し、少なくとも軌道面１列当たり１つあればよい。また、間座は、周方向に累積された寸法誤差を調整するために設けられるものであるため、それぞれ要求される形状、具体的には、間座の周方向の寸法が異なる。このような間座を、たとえば樹脂製とし、高価な金型を必要とする射出成形等によって製造すれば、安価に製造することができない。したがって、間座を金属製とし、砂型や切削加工等で製造することにより、容易に、かつ、安価に製造することができる。その結果、ころ軸受の生産性を向上させることができる。
【００１５】
ここで、保持器セグメントとは、一つの環状の保持器を、少なくともころを収容する１つのポケットを有するように、軸に沿う方向に延びる分割線によって分割した単位体である。複数の保持器セグメントが周方向に連なってころ軸受に組み込まれ、一つの環状の保持器を形成する。また、最初の保持器セグメントとは、保持器セグメントを周方向に順次連ねて配置する際に、最初に配置される保持器セグメントをいい、最後の保持器セグメントとは、隣接する保持器セグメントを当接させ、周方向に順次連ねて配置していった際に、最後に配置される保持器セグメントをいう。複数の保持器セグメントが周方向に連なってころ軸受に組み込まれ、一つの環状の保持器を形成する。保持器セグメントは、少なくともころを収容する１つのポケットを有するものであり、ころを収容するポケットを有しない間座とは、異なるものである。
【００１６】
好ましくは、間座は、砲金製である。間座は、保持器セグメントと共にころ軸受内を回転するため、ある程度の潤滑性が要求される。ここで、このように構成することにより、間座の摺動性が良好となり、間座の潤滑性を向上させることができる。
【００１７】
この発明の他の局面においては、間座は、周方向に連ねた最初の保持器セグメントと最後の保持器セグメントとの間に配置され、金属製である。
【００１８】
このような間座は、金属製であるため、砂型や切削加工等によって、容易に製造することができる。そうすると、射出成形による金型等を必要としないため、容易に、かつ安価に製造することができる。
【００１９】
この発明のさらに他の局面においては、風力発電機の主軸支持構造は、風力を受けるブレードと、その一端がブレードに固定され、ブレードとともに回転する主軸と、固定部材に組み込まれ、主軸を回転自在に支持するころ軸受とを有する。ころ軸受は、外輪と、内輪と、外輪および内輪の間に配置される複数のころと、ころを保持するポケットを形成するように軸に沿う方向に延びる複数の柱部、およびこの複数の柱部を連結するように周方向に延びる連結部を有し、外輪および内輪の間で周方向に順次連ねて配置される複数の樹脂製の保持器セグメントと、周方向に連ねた最初の保持器セグメントと最後の保持器セグメントとの間に配置される金属製の間座とを備える。
【００２０】
このような風力発電機の主軸支持構造は、生産性が良好なころ軸受を含むため、風力発電機の主軸支持構造自体も生産性が良好になる。
【発明の効果】
【００２１】
この発明によれば、保持器セグメントは、比較的複雑な形状を有し、１つのころ軸受に対し、大量の数が必要とされるため、保持器セグメントを樹脂製とし、射出成形等で製造することにより、保持器セグメントの生産性を向上させることができる。一方、すき間寸法を調整するための間座は、比較的単純な形状であり、１つのころ軸受に対し、少なくとも軌道面１列当たり１つあればよい。また、間座は、周方向に累積された寸法誤差を調整するために設けられるものであるため、それぞれ要求される形状、具体的には、間座の周方向の寸法が異なる。このような間座を、たとえば樹脂製とし、高価な金型を必要とする射出成形等によって製造すれば、安価に製造することができない。したがって、間座を金属製とし、砂型や切削加工等で製造することにより、容易に、かつ、安価に製造することができる。その結果、ころ軸受の生産性を向上させることができる。
【００２２】
また、このような間座は、金属製であるため、砂型や切削加工等によって、容易に製造することができる。そうすると、射出成形による金型等を必要としないため、容易に、かつ安価に製造することができる。
【００２３】
また、このような風力発電機の主軸支持構造は、生産性が良好なころ軸受を含むため、生産性が良好になる。
【発明を実施するための最良の形態】
【００２４】
以下、この発明の実施の形態を図面を参照して説明する。図２は、この発明の一実施形態に係る円錐ころ軸受に含まれる保持器セグメント１１ａを示す斜視図である。図３は、図２に示す保持器セグメント１１ａを、図２中の線ＩＩＩ−ＩＩＩを含み、軸に直交する平面で切断した場合の断面図である。また、図４は、図２に示す保持器セグメント１１ａを、柱部１４ａの中央を通り、円周方向に直交する平面で切断した場合の断面図である。なお、理解の容易の観点から、図３および図４において、保持器セグメント１１ａが保持する複数の円錐ころ１２ａ、１２ｂ、１２ｃを点線で示している。また、一点鎖線でＰＣＤ２２を示す。
【００２５】
図２、図３および図４を参照して、まず、円錐ころ軸受に含まれる保持器セグメント１１ａの構成について説明する。保持器セグメント１１ａは、一つの環状の保持器を、少なくともころを収容する一つのポケットを有するように、軸に沿う方向に延びる分割線によって分割した形状である。保持器セグメント１１ａは、円錐ころ１２ａ、１２ｂ、１２ｃを保持するポケット１３ａ、１３ｂ、１３ｃを形成するように、軸に沿う方向に延びる４つの柱部１４ａ、１４ｂ、１４ｃ、１４ｄと、軸方向の両端に位置し、４つの柱部１４ａ〜１４ｄを連結するように周方向に延びる一対の連結部１５ａ、１５ｂと、軸方向の両端に位置し、周方向に突出する一対の突部１６ａ、１６ｂとを含む。
【００２６】
一対の連結部１５ａ、１５ｂおよび一対の突部１６ａ、１６ｂは、複数の保持器セグメント１１ａが円錐ころ軸受に組み込まれた際に、周方向に連なって一つの環状の保持器を形成するように、周方向において所定の曲率半径を有している。一対の連結部１５ａ、１５ｂおよび一対の突部１６ａ、１６ｂのうち、円錐ころ１２ａ〜１２ｃの小径側に位置する連結部１５ａ、突部１６ａの曲率半径は、円錐ころ１２ａ〜１２ｃの大径側に位置する連結部１５ｂ、突部１６ｂの曲率半径よりも小さく構成されている。
【００２７】
保持器セグメント１１ａは、他の保持器セグメントと端面２１ａ、２１ｂ同士を当接させて配置した場合に、一対の突部１６ａ、１６ｂにより、保持器セグメント１１ａと他の保持器セグメントとの間に、円錐ころを収容するポケットを形成する。
【００２８】
ポケット１３ａ〜１３ｃの周方向両側に位置する柱部１４ａ〜１４ｄの内径側および外径側には、案内面１７ａ、１７ｂ、１７ｃ、１７ｄ、１８ａ、１８ｂ、１８ｃ、１８ｄが設けられている。このように構成することにより、保持器セグメントは、ころ案内となり、保持器セグメント１１ａの径方向への移動が規制される。柱部１４ａ〜１４ｄの外径側および内径側には、軸方向の中央部分において、径方向内側または外側に凹んだ形状で、周方向に貫通する油溝１９、２０が設けられている。この油溝１９、２０により、潤滑剤の循環が良好になる。
【００２９】
ここで、保持器セグメント１１ａは、樹脂製とする。上記した保持器セグメント１１ａは、比較的複雑な形状であり、１つのころ軸受に対して、大量の数が必要となる。したがって、保持器セグメント１１ａを樹脂製として、たとえば、射出成形等によって製造することにより、同一形状の保持器セグメント１１ａを、容易に製造することができる。
【００３０】
次に、この発明の一実施形態に係る円錐ころ軸受に含まれ、周方向に連なる保持器セグメント１１ａ等の周方向のすき間の寸法を調整する間座について説明する。図５は、円錐ころ軸受に含まれる間座２６の斜視図である。図５を参照して、間座２６の構成について説明すると、間座２６は、軸方向の両端に位置する端部２７ａ、２７ｂと、端部２７ａ、２７ｂ間に位置する中央部２８とを含む。端部２７ａ、２７ｂの軸方向の間隔は、上記した保持器セグメント１１ａに含まれる一対の連結部１５ａ、１５ｂの軸方向の間隔と同じである。また、中央部２８の内径面側および外径面側には、周方向に貫通する油溝３０ａ、３０ｂが設けられている。
【００３１】
ここで、間座２６は、金属製とする。このように構成することにより、間座２６を砂型や切削加工等によって、容易に製造することができる。したがって、間座２６を樹脂製とした場合に、射出成形時に必要な高価な金型を必要とせず、安価に間座２６を製造することができる。
【００３２】
なお、間座２６は、砲金製であることが好ましい。このように構成することにより、間座２６の摺動性能を向上させることができる。具体的には、砲金として、ＣＡＣ３０１が挙げられる。
【００３３】
次に、上記した保持器セグメント１１ａおよび間座２６を含む円錐ころ軸受の構成について説明する。図６は、複数の保持器セグメント１１ａ、１１ｂ、１１ｃ、１１ｄ等および間座２６を周方向に配置させた円錐ころ軸受３１を、軸方向から見た概略断面図である。また、図７は、図６中においてＶＩＩで示す部分の拡大断面図である。ここで、保持器セグメント１１ｂ、１１ｃ、１１ｄは、保持器セグメント１１ａと同一形状であるため、その説明を省略する。なお、図６においては、保持器セグメント１１ａ等に保持される円錐ころ３４を省略している。また、ここでは、複数の保持器セグメント１１ａ〜１１ｄのうち、最初に配置される保持器セグメントを保持器セグメント１１ａとし、最後に配置される保持器セグメントを保持器セグメント１１ｄとする。
【００３４】
図６および図７を参照して、円錐ころ軸受３１は、外輪３２と、内輪３３と、複数の円錐ころ３４と、複数の保持器セグメント１１ａ〜１１ｄと、間座２６とを備える。保持器セグメント１１ａ〜１１ｄは、周方向において、順次連ねられて配置される。ここでは、まず、最初に保持器セグメント１１ａが配置され、次に、保持器セグメント１１ｂが保持器セグメント１１ａと当接するように配置される。その後、保持器セグメント１１ｃが保持器セグメント１１ｂと当接するように配置され、順次、保持器セグメントが配置されていき、最後に、保持器セグメント１１ｄが配置される。また、隣接する２つの保持器セグメント１１ａ、１１ｂ等の間には、最初の保持器セグメント１１ａと最後の保持器セグメント１１ｄとの間を除いて、形成されるポケット３５に円錐ころ３４が配置される。
【００３５】
このようにして、周方向に連ねられて、保持器セグメント１１ａ〜１１ｄが配置される。なお、隣接する保持器セグメント１１ａ〜１１ｄの間に配置された円錐ころ３４によっても、円錐ころ軸受３１に負荷される荷重を受けることができる。
【００３６】
次に、最初の保持器セグメント１１ａと最後の保持器セグメント１１ｄとの間に配置される間座２６の配置状態について説明する。図１は、図６においてＩで示す部分の拡大断面図である。図１、図５および図６を参照して、保持器セグメント１１ａ等を順次当接するように連なって配置していき、保持器セグメント１１ａと保持器セグメント１１ｄとの間に生じたすき間３９に、間座２６を配置させる。こうすることにより、保持器セグメント１１ａと間座２６との間に生じる周方向の最後すき間４０の寸法を、容易に設定された範囲にすることができる。最後すき間とは、保持器セグメント１１ａ〜１１ｄ等を円周上にすき間なしに配置し、さらに、最後の保持器セグメント１１ｄと間座２６とをすき間なしに配置したときに、最初の保持器セグメント１１ａと、最初の保持器セグメント１１ａと最後の保持器セグメント１１ｄとの間に配置された間座２６との最大すき間をいう。
【００３７】
ここで、周方向のすき間３９は、各々が独立して製造される保持器セグメント１１ａ〜１１ｄの周方向の寸法誤差を累積したすき間寸法であるため、予め定められた一定の寸法とはならない。すなわち、周方向に連ねて配置する保持器セグメント１１ａ〜１１ｄの寸法精度等によって異なる。このような一定の寸法とならないすき間３９の寸法を間座２６によって適正な最後すき間４０の寸法とするには、すき間３９の寸法に合わせて、適正な最後すき間４０となるように、間座２６の周方向の寸法を調整する必要がある。
【００３８】
このような用途に使用される間座２６を、一定の寸法、すなわち、一定の形状を多量に製造する射出成形で製造すると、たとえば、周方向の寸法がやや異なる金型を複数必要とすることになるため、高コストとなる。また、すき間寸法を調整するための間座は、比較的単純な形状であり、１つのころ軸受に対し、少なくとも軌道面１列当たり１つあればよい。したがって、樹脂製として射出成形で製造するのは、不向きである。
【００３９】
このように、様々な周方向の寸法が必要とされる場合であっても、たとえば、砂型として、間座を金属製にすれば、容易に、型の形状を変更することができ、安価に製造することができる。また、間座２６を金属製にして、切削加工で製造する際にも、要求される寸法通りに切削することができるため、より適正な周方向の寸法を有する形状の間座２６を製造することができる。
【００４０】
このような円錐ころ軸受３１は、最後すき間４０が適正な範囲内であるため、保持器セグメント１１ａ〜１１ｄが熱膨張をしても、隣接する保持器セグメント１１ａ〜１１ｄが押し合ったりすることはなく、また、異音等の発生や、隣接する保持器セグメント１１ａ〜１１ｄ同士の衝突による破損等を防止することができる。
【００４１】
また、間座２６は、保持器セグメント１１ａ〜１１ｄと共に、周方向に回転するが、間座２６は、砲金製であるため、その摺動性が良好である。そうすると、回転時において、間座２６が外輪３２や内輪３３、隣接する保持器セグメントを摩耗させるおそれは少なくなる。したがって、円錐ころ軸受３１を構成する部材を摩耗させたり、破損させたりすることはない。
【００４２】
図８および図９は、この発明の一実施形態に係るころ軸受を主軸支持軸受７５として適用した、風力発電機の主軸支持構造の一例を示している。主軸支持構造の主要部品を支持するナセル７２のケーシング７３は、高い位置で、旋回座軸受７１を介して支持台７０上に水平旋回自在に設置されている。風力を受けるブレード７７を一端に固定する主軸７６は、ナセル７２のケーシング７３内で、軸受ハウジング７４に組み込まれた主軸支持軸受７５を介して、回転自在に支持されている、主軸７６の他端は増速機７８に接続され、この増速機７８の出力軸が発電機７９のロータ軸に結合されている。ナセル７２は、旋回用モータ８０により、減速機８１を介して任意の角度に旋回させられる。
【００４３】
軸受ハウジング７４に組み込まれた主軸支持軸受７５は、この発明の一実施形態に係るころ軸受であって、外輪と、内輪と、外輪および内輪の間に配置される複数のころと、ころを保持するポケットを形成するように軸に沿う方向に延びる複数の柱部、およびこの複数の柱部を連結するように周方向に延びる連結部を有し、外輪および内輪の間で周方向に順次連ねて配置される複数の樹脂製の保持器セグメントと、周方向に連ねた最初の保持器セグメントと最後の保持器セグメントとの間に配置される金属製の間座とを備える。
【００４４】
主軸支持軸受７５は、大きな風力を受けるブレード７７を一端に固定する主軸７６を支持するため、大きな荷重がかかることになる。そうすると、主軸支持軸受７５自体も大型にする必要がある。ここで、生産性向上等のため、一つの環状の保持器を分割した形状の保持器セグメントとした場合であっても、ころ軸受の生産性が良好であるため、風力発電機の主軸支持構造自体も、生産性が良好になる。
【００４５】
なお、上記の実施の形態においては、間座は、中央部と端部を含むことにしたが、これに限らず、他の形状、たとえば、略直方体形状であってもよいし、中央部が周方向に膨出した形状であってもよい。さらに、隣接する保持器セグメントの間に、ころを配置しなくともよいし、間座と保持器セグメントとの間に、ころを配置してもよい。
【００４６】
また、上記の実施の形態においては、保持器セグメントは、周方向に突出する突部を有することにしたが、これに限らず、突部を有さないタイプ、すなわち、周方向外側に柱部が配置される構成の保持器セグメントについても、適用される。
【００４７】
なお、上記の実施の形態においては、保持器セグメントは、ころを収容するポケットを３つ有することにしたが、これに限らず、４つ以上のポケットを有することにしてもよい。このような構成の保持器セグメントは、案内面が設けられたポケットを多く有するため、より安定して径方向に配置される。
【００４８】
また、上記の実施の形態においては、ころ軸受に備えられるころとして、円錐ころを用いたが、これに限らず、円筒ころや針状ころ、棒状ころ等を用いてもよい。
【００４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５０】
この発明に係るころ軸受は、良好な生産性が要求される場合に、有効に利用される。
【００５１】
この発明に係る間座は、良好な生産性が要求されるころ軸受に備えられる際に、有効に利用される。
【００５２】
また、この発明に係る風力発電機の主軸支持構造は、良好な生産性が要求される場合に、有効に利用できる。
【図面の簡単な説明】
【００５３】
【図１】最初の保持器セグメントと最後の保持器セグメントとの間に間座を配置した場合の拡大断面図である。
【図２】この発明の一実施形態に係る円錐ころ軸受に含まれる保持器セグメントの斜視図である。
【図３】図２に示す保持器セグメントを、図２中の線ＩＩＩ−ＩＩＩを含み、軸に直交する平面で切断した場合の断面図である。
【図４】図２に示す保持器セグメントを、柱部の中央を通り、円周方向に直交する平面で切断した場合の断面図である。
【図５】円錐ころ軸受に含まれる間座を示す斜視図である。
【図６】複数の保持器セグメントおよび間座を周方向に配置した場合の円錐ころ軸受の概略断面図である。
【図７】隣接する保持器セグメントを示す拡大断面図である。
【図８】この発明に係る円錐ころ軸受を用いた風力発電機の主軸支持構造の一例を示す図である。
【図９】図８に示す風力発電機の主軸支持構造の図解的側面図である。
【図１０】従来における保持器セグメントの斜視図である。
【図１１】図１０に示す保持器セグメントを、柱部を含み、軸に直交する平面で切断した場合の断面図である。
【符号の説明】
【００５４】
１１ａ，１１ｂ，１１ｃ，１１ｄ  保持器セグメント、１２ａ，１２ｂ，１２ｃ  円錐ころ、１３ａ，１３ｂ，１３ｃ  ポケット、１４ａ，１４ｂ，１４ｃ，１４ｄ  柱部、１５ａ，１５ｂ  連結部、１７ａ，１７ｂ，１７ｃ，１７ｄ，１８ａ，１８ｂ，１８ｃ，１８ｄ  案内面、１９，２０，３０ａ，３０ｂ  油溝、２１ａ，２１ｂ  端面、２２  ＰＣＤ、２６  間座、２７ａ，２７ｂ  端部、３１  円錐ころ軸受、３２  外輪、３３  内輪、３９  すき間、４０  最後すき間、７０  支持台、７１  旋回座軸受、７２  ナセル、７３  ケーシング、７４  軸受ハウジング、７５  主軸支持軸受、７６  主軸、７７  ブレード、７８  増速機、７９  発電機、８０  旋回用モータ、８１  減速機。
【図１】
2007255627.tif 000003
【図２】
2007255627.tif 000004
【図３】
2007255627.tif 000005
【図４】
2007255627.tif 000006
【図５】
2007255627.tif 000007
【図６】
2007255627.tif 000008
【図７】
2007255627.tif 000009
【図８】
2007255627.tif 000010
【図９】
2007255627.tif 000011
【図１０】
2007255627.tif 000012
【図１１】
2007255627.tif 000013